(57)【要約】【課題】衛生的で利便性の高いペット用サークルを簡単な構成で提供する。【解決手段】正面パネル２ａと背面パネル２ｂと左右の側面パネル２ｃ，２ｄの各側辺が互いに連結された周壁パネル２の上面開口部に天面パネル３が着脱可能に取り付けられたペット用サークル１において、各パネルは線状部材により格子状に形成されるとともに、周壁パネル２の上端には合成樹脂製の上フレーム５が着脱自在に取り付けられており、上フレーム５の下面に、対応する周壁パネル２の上端部を嵌入する嵌入溝が形成され、嵌入溝に周壁パネル２の上端を嵌入することにより上フレーム５が周壁パネル２に取り付けられる。【選択図】  図１
2008199933.tif 000002
【特許請求の範囲】
【請求項１】
正面パネルと背面パネルと左右の側面パネルの各側辺が互いに連結された周壁パネルの上面開口部に天面パネルが着脱可能に取り付けられたペット用サークルであって、
前記各パネルは線状部材により格子状に形成されるとともに、周壁パネルの上端に合成樹脂製の上フレームが着脱自在に取り付けられており、
前記上フレームの下面に、対応する周壁パネルの上端部を嵌入する嵌入溝が形成され、該嵌入溝に周壁パネルの上端を嵌入することにより上フレームが周壁パネルに取り付けられることを特徴とするペット用サークル。
【請求項２】
前記天面パネルを周壁パネルと上フレームとの間に挟持するとともに上フレームを周壁パネルに取り付ける天面パネル取付態様と、天面パネルを取り外して上フレームを周壁パネルに取り付ける天面パネル取外し態様とを選択可能に構成されていることを特徴とする請求項１に記載のペット用サークル。
【請求項３】
前記側面パネルが、この側面パネルの両側辺間の略中央部から折り曲げ可能に形成されていることを特徴とする請求項１または２に記載のペット用サークル。
【請求項４】
前記上フレームが複数のフレーム部材から構成されていることを特徴とする請求項１〜３のいずれか１項に記載のペット用サークル。
【請求項５】
前記周壁パネルにバックルを介してトレーが着脱自在に取り付けられていることを特徴とする請求項１〜４のいずれか１項に記載のペット用サークル。
【請求項６】
前記周壁パネルで囲まれた空間が複数の領域に区画されていることを特徴とする請求項１〜５のいずれか１項に記載のペット用サークル。
【発明の詳細な説明】
【技術分野】
【０００１】
本発明は、内部に犬や猫などのペットを入れるペット用サークルに関する。
【背景技術】
【０００２】
ペット用サークルは、複数のパネルを連結し、これらのパネルで囲まれた内部にペットを収容するものである。
【０００３】
例えば特許文献１には、上下に平行に配置される上側フレームと下側フレームと、この上側フレームと下側フレーム間に網状体が配置されたパネルが複数連結されて形成されたペット用サークルが開示されている。
【特許文献１】特開２００１−２４５５４５号公報
【発明の開示】
【発明が解決しようとする課題】
【０００４】
しかしながら、上記したペット用サークルでは、木製のフレームで形成されているため、ペット用サークル自体が重くなり、取扱いや運搬が困難であった。
【０００５】
また、木製であるために、フレームに液体や汚れなどが付着すると、フレーム内部にまで水分が浸透することから拭き取り難く、匂いを除去することも困難であり、加えて、フレームに反りや曲がりが発生してサークルの形状が変わってしまうといった問題があった。
【０００６】
さらに、パネルが上下フレーム間に網状体を固着したもので構成されているので、パネルを折り畳むことが不可能で、使用しない場合に広い保管スペースが必要であったり、梱包したサイズが大きくなり輸送コストが嵩むといった問題が生じていた。
【０００７】
本発明は、このような事情に鑑み創案されたもので、衛生的で利便性の高いペット用サークルを簡単な構成で提供するものである。
【課題を解決するための手段】
【０００８】
上記の目的を達成するため、本発明は、正面パネルと背面パネルと左右の側面パネルの各側辺が互いに連結された周壁パネルの上面開口部に天面パネルが着脱可能に取り付けられたペット用サークルであって、前記各パネルは線状部材により格子状に形成されるとともに、周壁パネルの上端に合成樹脂製の上フレームが着脱自在に取り付けられており、前記上フレームの下面に、対応する周壁パネルの上端部を嵌入する嵌入溝が形成され、該嵌入溝に周壁パネルの上端を嵌入することにより上フレームが周壁パネルに取り付けられることを特徴とする。
【０００９】
この発明によれば、上フレームが合成樹脂で形成されているので、ペット用サークルが軽量になるため取扱いや運搬が容易である。また、上フレームに水分が浸透することがないため、汚れが付着し難く、たとえ汚れが付着した場合であっても簡単に拭き取って除去することができる。したがって、汚れや匂いが残留することがないので衛生的である。さらに、フレームに反りや曲がりが発生することがなく、サークルの形状が変わってしまうといった問題が生じることがない。
【００１０】
また、上フレームの下面に、対応する周壁パネルの上端部を嵌入する嵌入溝を形成し、該嵌入溝に周壁パネルの上端を嵌入することにより上フレームを周壁パネルに取り付けるので、簡単な構成により上フレームを周壁パネルに確実に取り付けることができる。このように、周壁パネル上端を上フレームの嵌入溝に嵌めこむだけで取り付けることができるので、取付作業が容易である。
【００１１】
本発明は上記構成のペット用サークルにおいて、前記天面パネルを周壁パネルと上フレームとの間に挟持するとともに上フレームを周壁パネルに取り付ける天面パネル取付態様と、天面パネルを取り外して上フレームを周壁パネルに取り付ける天面パネル取外し態様とを選択可能に構成されていることを特徴とする。
【００１２】
この発明によれば、天面パネルを周壁パネルと上フレームとの間に挟持するとともに上フレームを周壁パネルに取り付けることにより、天面パネルを確実に取り付けることができる。
【００１３】
また、天面パネルを取り外して上フレームを周壁パネルに取り付けることにより、天面パネルを使用しない場合であっても、周壁パネル上端が上フレームで被覆されているので、周壁パネル上端が露出することがなく、安全で好適にペット用サークルを使用することができる。
【００１４】
さらに、天面パネル取付態様と天面パネル取外し態様とを選択できるので、使用する状況に合わせて適宜使い分けることができる。
【００１５】
本発明は上記構成のペット用サークルにおいて、前記側面パネルが、この側面パネルの両側辺間の略中央部から折り曲げ可能に形成されていることを特徴とする。
【００１６】
この発明によれば、左右の側面パネルをそれぞれ両側辺間の略中央部から折り曲げることにより、周壁パネルを扁平状に折り畳むことができるので、ペット用サークルを使用しない場合に僅かなスペースに保管することが可能である。また、ペット用サークルを梱包する際、コンパクトなサイズにすることができるので輸送コストを低減することができる。
【００１７】
本発明は上記構成のペット用サークルにおいて、前記上フレームが複数のフレーム部材から構成されていることを特徴とする。
【００１８】
この発明によれば、例えば長い上フレームを用いる場合であっても、所望長さの複数のフレーム部材を製造し、これらフレーム部材を連結して上フレームを形成することで、製造や梱包が容易になりコストを低減することができる。また、上フレームを所望のフレーム部材に適宜分けることができるので、例えば、周壁パネルの浮き上がりを防止する押え機能を持たせたフレーム部材と、周壁パネルに取り付けるフレーム部材とを組み合わせて上フレームを組み立てることが可能になり、機能的で利便性を高めることができる。
【００１９】
本発明は上記構成のペット用サークルにおいて、前記周壁パネルにバックルを介してトレーが着脱自在に取り付けられていることを特徴とする。
【００２０】
この発明によれば、トレーを設けることにより、ペット用サークルを載置する床面などが飲食物やペットの排泄物などで汚れるのを防止することができる。
【００２１】
また、バックルを介してトレーが周壁パネルに取り付けられるので、トレーを確実に取り付けることができる。
【００２２】
本発明は上記構成のペット用サークルにおいて、前記周壁パネルで囲まれた空間が複数の領域に区画されていることを特徴とする。
【００２３】
この発明によれば、周壁パネルを複数の領域に区画し、ペット用サークルの使用態様に応じて適宜使い分けることが可能になる。
【００２４】
したがって、例えば、周壁パネルで囲まれた空間をトイレスペースと住居スペースに区画して、ペットにトイレのしつけを行うことができるとともに、衛生的でペットが快適に過ごすことができるペット用サークルを提供することができる。
【発明の効果】
【００２５】
本発明によれば、衛生的で利便性の高いペット用サークルを簡単な構成で提供することが可能になる。
【発明を実施するための最良の形態】
【００２６】
以下、本発明に係るペット用サークルを実施するための最良の形態について、図面を参照しながら説明する。
【００２７】
図１には、本実施形態のペット用サークル１の全体が示されている。
【００２８】
このペット用サークル１は、正面パネル２ａと背面パネル２ｂと左右の側面パネル２ｃ，２ｄの各側辺が互いに連結された周壁パネル２の上面開口部に天面パネル３が着脱自在に取り付けられたものである。
【００２９】
周壁パネル２（正面パネル２ａと背面パネル２ｂと左右の側面パネル２ｃ，２ｄ）および天面パネル３は、線状部材（例えば、鉄線材）により格子状に形成されている。また、周壁パネル２の上端には上フレーム５が着脱自在に取り付けられており、周壁パネル２の下部にはトレー６が取り付けられている。
【００３０】
そして、周壁パネル２で囲まれた領域が仕切パネル４によって仕切られ、住居スペース１ａとトイレスペース１ｂの２つの領域に区画されている。
【００３１】
なお、本実施形態では、住居スペース１ａとトイレスペース１ｂの２つの領域に区画されたペット用サークル１について詳細に説明するが、本発明は、例えば図９に示すように周壁パネル２で囲まれた空間が仕切られていないペット用サークル１０においても適用できるものである。
【００３２】
周壁パネル２の正面パネル２ａと背面パネル２ｂと左右の側面パネル２ｃ，２ｄの各側辺は、左右の側面パネル２ｃ，２ｄに形成された連結部２１を介して互いに連結されている。この連結部２１は、側面パネル２ｃ，２ｄの横線材の先端が折り返されて形成されており、正面パネル２ａまたは背面パネル２ｂの両端の縦線材がこの折り返し部に挿通されることにより正面パネル２ａと背面パネル２ｂと左右の側面パネル２ｃ，２ｄの各側辺が連結されている。また、折り返し部の内径は、正面パネル２ａまたは背面パネル２ｂの両端の縦線材の外径よりも若干大きく設定されており、側面パネル２ｃ，２ｄが正面パネル２ａ・背面パネル２ｂに対して回動可能に構成されている。
【００３３】
周壁パネル２の上端部には、後述する上フレーム５の嵌入溝５１に嵌め込まれる突き出し部２２が形成されている（図２参照）。この突き出し部２２は嵌入溝５１に対応して形成されていればよいので、図示した形態に限定されるものではなく、例えば、周壁パネル２の周縁の略全体にわたって設けられていてもよい。また、正面パネル２ａと背面パネル２ｂの両端の縦線材は、対応する上フレーム５の角隅部を挿通可能に上方に向かって延出された延出部２３とされており、その上端部には上フレーム５を固定するためのビスＢを螺合する螺子溝が形成されている。
【００３４】
正面パネル２ａの住居スペース１ａ側とトイレスペース１ｂ側には、それぞれペットが出入り可能な出入口が開口されており、この出入口を開閉するペット用扉２４ａ，２４ｂが開閉自在に取り付けられている。各ペット用扉２４ａ，２４ｂにはスライド自在なロック部材２５が取り付けられており、ペット用扉２４ａ，２４ｂを閉鎖した状態を保持できるようになされている。また、住居スペース側の扉２４ａを開放した状態で保持できるように、対応する正面パネル２ａにロック部材２５の係入部２５１と係合する受け部２６が形成されている。トイレスペース側の扉２４ｂは、住居スペース側の扉２４ａと略同一の大きさ・形状に形成されており、ペットが出入りできるほか、トイレの出し入れも容易にできるように図られている。
【００３５】
なお、このトイレスペース側の扉２４ｂにおいて、側面パネル２ｄに近接するまで回動可能に構成し、側面パネル２ｄにロック部材２５の係入部２５１と係合する受け部を形成して、トイレスペース側の扉２４ｂを開放した状態で保持できるようにしてもよい。
【００３６】
側面パネル２ｃ，２ｄは、左右に２分割された第１パネル２７ａと第２パネル２７ｂの２つの半部から構成されている。また、第１パネル２７ａと第２パネル２７ｂとは側面パネル連結部２７１を介して回動可能に連結されており、側面パネル２ｃ，２ｄの両側辺間の略中央部から折り曲げ可能に形成されている。ここで側面パネル連結部２７１は、第２パネル２７ｂの横線材の第１パネル２７ａ側先端が折り返されて形成されており、第１パネル２７ａの第２パネル２７ｂ側先端の縦線材がこの折り返し部に挿通されている。また、折り返し部の内径は、第１パネル２７ａの第２パネル２７ｂ側先端の縦線材の外径よりも若干大きく設定されており、この縦線材を軸に第１パネル２７ａと第２パネル２７ｂが回動して側面パネル２ｃ，２ｄが内方に折り曲げられるようになされている（図３参照）。
【００３７】
このように側面パネル２ｃ，２ｄを折り曲げると、周壁パネル２を扁平状に折り畳むことができるので、コンパクトな大きさにして収納や梱包することが可能になる。
【００３８】
仕切パネル４は、正面パネル２ａと背面パネル２ｂにおいて、住居スペース１ａとトイレスペース１ｂの境界に対応する位置に設けられた取付部２８に、仕切パネルの両側端に設けられた嵌入部４２を嵌め込むことにより取り付けられており、住居スペース１ａとトイレスペース１ｂに区画している。この仕切パネル４は、線状部材（例えば、鉄線材）により格子状に形成されており、周壁パネル２の高さよりも若干低くなるような高さに設定されている。また、ペットが出入り可能な出入口が開口されており、この出入口を開閉する仕切扉４１が開閉自在にスライドするように取り付けられている。
【００３９】
なお、この実施形態では、住居スペース１ａとトイレスペース１ｂに区画した場合を例にとって説明しているが、この２つの領域に区画したものに限定されず、例えば、３箇所以上の領域に区画してもよい。
【００４０】
上フレーム５は合成樹脂製の断面矩形状の棒状体で形成され、角部は丸く面取りされておりペットや飼い主が傷つくことがないように安全性が確保されている。
【００４１】
上フレーム５の下面には、対応する周壁パネル２の上端の突き出し部２２を嵌入する嵌入溝５１が形成されており（図５参照）、該嵌入溝５１に周壁パネル２の上端を嵌入することにより上フレーム５が周壁パネル２に取り付けられるように図られている（図４参照）。
【００４２】
また、図４に示すように、上フレーム５は複数のフレーム部材から構成されており、例示のペット用サークル１では、２本の側面フレーム部材５２、２本の長尺フレーム部材５３、２本の短尺フレーム部材５４、および、長尺フレーム部材５３と短尺フレーム部材５４とを連結する２個のフレーム連結部材５５とから構成されている。
【００４３】
ここで、側面フレーム部材５２は側面パネル２ｃ，２ｄの上端に取り付けられ、フレーム連結部材５５を介して連結された長尺フレーム部材５３と短尺フレーム部材５４は、正面パネル２ａ・背面パネル２ｂの上端に取り付けられる。
【００４４】
側面フレーム部材５２と、この側面フレーム部材５２の両端部に対応する長尺フレーム部材５３・短尺フレーム部材５４のそれぞれの端部には、周壁パネル２の延出部２３が挿通する挿通孔５６が形成されているとともに、位置合わせ部５７が形成されている。
【００４５】
この位置合わせ部５７は、対応する各端部がそれぞれ凹凸嵌合するようになされており、これにより各フレーム部材の位置合わせをして、さらに図６に示すようにビスＢで固着する。
【００４６】
また、長尺フレーム部材５３の短尺フレーム部材５４側、および短尺フレーム部材５４の長尺フレーム部材５３側のそれぞれの端部には、互いに嵌合する突条５８と突条挿通孔５９が設けられている。
【００４７】
フレーム連結部材５５は、図７に示すように、両側に長尺フレーム部材５３の端部が嵌入される長尺フレーム嵌入部５５１と短尺フレーム部材５４の端部が嵌入される短尺フレーム嵌入部５５２とを備えたものである。これら長尺フレーム嵌入部５５１および短尺フレーム嵌入部５５２には、上記した突条挿通孔５９とほぼ同じサイズの挿通孔が形成されている。また、フレーム連結部材５５の両端部には、それぞれ長尺フレーム部材５３・短尺フレーム部材５４の端部と嵌合するフレーム嵌合部５５５が形成されている。
【００４８】
フレーム連結部材５５の下部には、内側に向かって横断面略三角形状に突出された押え部５５３が形成され、天面パネル３を取り外した態様において、この押え部５５３の下面で仕切パネル４の上端を押えることにより仕切パネル４を保持するように図られている。また、フレーム連結部材５５の下面には、正面パネル２ａ・背面パネル２ｂの横線材を引っ掛けて上フレーム５の浮き上がりを防止するためのフック部５５４が形成されている。
【００４９】
天面パネル３は、図２に示すように、縦線材および横線材の所定個所が周壁パネル２の隣り合う突き出し部２２間から外方に向かって延出された係合部３１が形成されている。この係合部３１の先端は、周壁パネル２に沿うように下方に屈曲され、天面パネル３が周壁パネル２の上端に取り付けられるように構成されたものである。
【００５０】
なお、天面パネル３を周壁パネル２の上端に取り付けた状態において、周壁パネル２の突き出し部２２は天面パネル３の上面から突出している。
【００５１】
このように天面パネル３が周壁パネル２の上端に取り付けられることから、天面パネル３を周壁パネル２と上フレーム５との間に挟持して上フレーム５を周壁パネル２に取り付けることにより、天面パネル３を確実に取り付けることができる（天面パネル取付態様）。
【００５２】
一方、図８に示すように、天面パネル３を取り外して上フレーム５を周壁パネル２に取り付けることにより、天面パネル３を取り外して使用することもできる（天面パネル取外し態様）。
【００５３】
トレー６は、外周にわたって周壁部６１が立ち上げられており、排泄物や飲食物がこぼれた場合であっても、ペット用サークル１を載置した床面などが汚れないように図られている。
【００５４】
このトレー６は、図２に示すように、住居スペース１ａに対応する住居側トレー部６ａとトイレスペース１ｂに対応するトイレ側トレー部６ｂに区画されており、住居側トレー部６ａとトイレ側トレー部６ｂの境界にわたって漏れ止め用突部６２が形成されている。
【００５５】
そして、トレー６の仕切パネル４に対応する位置には、突起６３が３個所形成されており、仕切パネル４の下端部を突起６３と漏れ止め用突部６２との間に嵌め込んで、仕切パネル４の下部を位置決めするとともにガタツキを防止できるようになされている。また、トイレ側トレー部６ｂには、ペット用トイレＡを所定位置で静止させるトイレ静止用突部６４が形成されている。このトイレ静止用突部６４は、ペット用トイレＡの外枠に嵌め込まれるように形成されており、ペットの動きに伴ってペット用トイレＡが動くことがなくなり、好適に排便等をさせることを可能にしている。
【００５６】
また、トレー６は、バックル７を介して周壁パネル２に取り付けられるようになされている。
【００５７】
このバックル７は、断面Ｌ字形のバックル本体７１と、このバックル本体７１に連結するリンク（図示省略）と、このリンクを連結する受台（図示省略）とからなっており、受台がトレー６の周壁部６１に固定されている。また、バックル本体７１の一端部にフック７２が形成されるともに他端部にリンクの一方の軸が回動自在に取り付けられており、側面パネル２ｃ，２ｄの下部の横線材にバックル７のフック７２を係合させた後、バックル７のリンクを回動させることにより、この横線材をトレー６側に引き寄せて周壁パネル２をトレー６に固定するようになされている。
【００５８】
また、バックル本体７１には、所定間隔をおいて２本の溝部７１１が形成されており、これらの溝部７１１に側面パネル２ｃ，２ｄにおいて互いに隣り合う第１パネル２７ａと第２パネル２７ｂの側端の縦線材がそれぞれ嵌入されるように図られている。このように構成されているので、面一になるように配置された第１パネル２７ａと第２パネル２７ｂとを下部において確実に固定することができる。
【００５９】
なお、第１パネル２７ａ・第２パネル２７ｂの上部においては、上フレーム５の側面フレーム部材５２により固定されているので、上記したバックル７による押え機能とも相俟って側面パネル２ｃ，２ｄの折れ曲がり部分のガタツキを確実に防止するとともに、周壁パネル２の形態を保持することが可能となっている。
【００６０】
次に、上記構成のペット用サークル１を組み立てる手順について説明する。
【００６１】
梱包された状態では、正面、背面、左右の側面の４枚のパネル２ａ，２ｂ，２ｃ，２ｄが連結され、側面パネル２ｃ，２ｄがそれぞれ内方に向かって屈曲されて周壁パネル２が扁平状に折り畳まれているので、まず、側面パネル２ｃ，２ｄの第１パネル２７ａと第２パネル２７ｂを回動させて側面パネル２ｃ，２ｄを面一にして周壁パネル２を平面視矩形状にする。
【００６２】
次いで、バックル７のフック７２を側面パネル２ｃ，２ｄの下部の横線材に係合し、トレー６を周壁パネル２にバックル７を介して取り付ける。この場合において、バックル本体７１の２本の溝部７１１に第１パネル２７ａと第２パネル２７ｂの側端の縦線材をそれぞれ嵌入する。
【００６３】
続いて、周壁パネル２の上方から仕切パネル４を挿入していき、仕切パネル４の下端部をトレー６の漏れ止め用突部６２と突起６３との間に嵌め込むとともに、正面パネル２ａと背面パネル２ｂの取付部２８に仕切パネル４の嵌入部４２を嵌め入れる。
【００６４】
天面パネル３を取り付ける場合、天面パネル３の係合部３１を周壁パネル２の上端に取り付け、上フレーム５の側面フレーム部材５２の嵌入溝５１に側面パネル２ｃ，２ｄの突き出し部２２が嵌めこまれるように、側面フレーム部材５２を上方から配置する。
【００６５】
次に、フレーム連結部材５５を介して長尺フレーム部材５３と短尺フレーム部材５４とを連結し、フレーム連結部材５５のフック部５５４に正面パネル２ａ・背面パネル２ｂのそれぞれの対応する横線材を引っ掛けるとともに、連結した長尺フレーム部材５３と短尺フレーム部材５４の両端部と、側面フレーム部材５２の両端部の各挿通孔５６に挿通した周壁パネル２の延出部２３をそれぞれビスＢにより螺着する。ここで、フレーム連結部材５５を介して長尺フレーム部材５３と短尺フレーム部材５４とを連結して正面パネル２ａ・背面パネル２ｂに取り付ける過程において、まず長尺フレーム部材５３にフレーム連結部材５５を取り付け、フック部５５４を対応する横線材に引っ掛けた後に短尺フレーム部材５４をフレーム連結部材５５に取り付けるなど、使用者の便宜に合わせて取り付け手順を選択することが可能である。
【００６６】
なお、天面パネル３を使用しない場合は、上記した上フレーム５の取付作業と同様の作業を直接周壁パネル２に対して行う。この場合、仕切パネル４の上端を上フレーム５のフレーム連結部材５５の突出部５５３の下面で押えるので、仕切パネル４が確実に取り付けられる。
【００６７】
次に、上記構成のペット用サークル１の使用方法の一例に関し、ペットにトイレの躾をする方法について説明する。
【００６８】
まず、ペット用トイレＡをトイレスペース１ｂに設置する、この際、ペット用トイレＡの外枠をトレー６のトイレ静止用突起６４に嵌め込んで、ペット用トイレＡが不測に動かないようにする。
【００６９】
次いで、ペット用扉２４ａを開けて、ペットを住居スペース１ａ内に入れる。
【００７０】
飼い主（使用者）がペットの排泄が近づいてきたと察知した場合、仕切扉４１を開けて、ペットをトイレスペース１ｂのペット用トイレＡに誘導する。その後、仕切扉４１を閉鎖する。
【００７１】
ペットがペット用トイレＡで排泄し終えると、トイレで排泄したことを誉め、仕切扉４１を開けて、住居スペース１ａにペットを入れる。
【００７２】
なお、ペットの出入りは、ペット用扉２４ａとトイレスペース１ｂ側の２４ｂの両方を用いて行うことも可能である。
【００７３】
ペット用トイレＡのシーツを交換する際には、トイレスペース１ｂ側のペット用扉２４ｂを開けて、ペット用トイレＡを取り出す。
【００７４】
このように住居スペース１ａとトイレスペース１ｂに区画することにより、トイレスペース１ｂをペット用トイレＡを置くためだけの空間として使用することができ、また、住居スペース１ａには、食器やベッドを置くことができるので、使い勝手がよい。さらに、住居スペース１ａとトイレスペース１ｂとの間が仕切パネル４によって仕切られているので、飼い主がペットをトイレに誘導するのが容易で、トイレに誘導されたペットは、トイレから離れることがない。したがって、ペットに対してトイレの躾を好適に行うことが可能になる。
【００７５】
なお、図９には本発明のペット用サークルの変形例が示されており、上記した実施形態と同様の構成を有するものについては同じ符号を付している。
【００７６】
このペット用サークル１０は、周壁パネル２で囲まれた空間は区画されず１部屋で構成され、ペット用扉２４が１つ設けられているものであり、構成が簡単で利便性の高いものとなっている。
【００７７】
以上、本発明の実施の形態について、一例としての実施例について説明したが、上述した実施例に限られるものではない。
【産業上の利用可能性】
【００７８】
本発明は、正面パネルと背面パネルと左右の側面パネルの各側辺が互いに連結された周壁パネルの上面開口部に天面パネルが着脱自在に取り付けられたペット用サークルに適用できる。
【図面の簡単な説明】
【００７９】
【図１】本発明の実施形態に係るペット用サークルの全体を示す斜視図である。
【図２】図１のペット用サークルの周壁パネルと天面パネルを分解した状態を示す斜視図である。
【図３】図１のペット用サークルの周壁パネルを折り畳む状態の概略を示す平面図である。
【図４】図１のペット用サークルの上フレームを取り付ける状態を分解して示す斜視図である。
【図５】本発明の実施形態に係るペット用サークルの上フレームの側面フレーム部材を示す斜視図である。
【図６】本発明の実施形態に係るペット用サークルの上フレームを取り付ける状態を示す斜視図である。
【図７】本発明の実施形態に係るペット用サークルの上フレームのフレーム連結部材を示す斜視図である。
【図８】本発明の実施形態に係るペット用サークルの天面パネル取り外し態様を示す斜視図である。
【図９】本発明の変形例を示す斜視図である。
【符号の説明】
【００８０】
１      ペット用サークル
２      周壁パネル
２ａ    正面パネル
２ｂ    背面パネル
２ｃ，２ｄ    側面パネル
３      天面パネル
４      仕切パネル
５      上フレーム
５１    嵌入溝
５２、５３、５４、５５  フレーム部材
６      トレー
７      バックル
【図１】
2008199933.tif 000003
【図２】
2008199933.tif 000004
【図３】
2008199933.tif 000005
【図４】
2008199933.tif 000006
【図５】
2008199933.tif 000007
【図６】
2008199933.tif 000008
【図７】
2008199933.tif 000009
【図８】
2008199933.tif 000010
【図９】
2008199933.tif 000011